(57)【要約】  無線通信システムの送信ノードにおける分散スケジューリング方法は、多数のリンク識別子とマッピングされるトーンを含むＴｘブロックで、第１トーンを通じて電力信号が伝送される過程と、多数のリンク識別子とマッピングされるトーンを含む第１Ｒｘブロックで送信ノードのデータ伝送が可能であることを指示する第２トーンを通じて電力信号が伝送される過程と、多数のリンク識別子とマッピングされるトーンを含む第２Ｒｘブロックで受信ノードが許容可能なリンク識別子に関する情報を含む第３トーンを通じて電力信号が伝送される過程と、を含む。
2015501566.tif 000002
【特許請求の範囲】
【請求項１】
無線通信システムの送信ノードにおける分散スケジューリング方法であって、
多数のリンク識別子とマッピングされるトーンを含むＴｘブロックで、第１トーンを通じて電力信号を伝送する過程と、
多数のリンク識別子とマッピングされるトーンを含む第１Ｒｘブロックで、データ伝送が可能であることを指示する第２トーンを通じて電力信号を受信ノードから受信する過程と、
多数のリンク識別子とマッピングされるトーンを含む第２Ｒｘブロックで、前記受信ノードが許容可能なリンク識別子に関する情報を含む第３トーンを通じて電力信号を前記受信ノードから受信する過程と、を含み、
前記第２トーンを通じた電力信号は、前記受信ノードで受信信号対雑音比(ｓｉｇｎａｌ-ｔｏ-ｉｎｔｅｒｆｅｒｅｎｃｅ ｒａｔｉｏ:ＳＩＮＲ)を満たすことを指示し、
前記第３トーンを通じた電力信号は、前記受信ノードで許容可能な優先順位の低いリンク識別子の個数を指示することを特徴とする方法。
【請求項２】
前記第３トーンを通じた前記受信ノードの電力レベルに基づいて、前記受信ノードで許容可能な優先順位の低いリンク識別子の個数を決定する過程をさらに含むことを特徴とする、請求項１に記載の方法。
【請求項３】
前記受信ノードで許容可能な優先順位の低いリンク識別子の個数が１より大きい場合、前記第３トーンを通じた電力信号のレベルが前記第２トーンを通じた電力信号のレベルより大きくなることを特徴とする、請求項１に記載の方法。
【請求項４】
前記第１Ｒｘブロックで最大出力で電力信号が伝送される場合、前記第２Ｒｘブロックにおける電力レベルは、最大出力-前記受信ノードで許容可能な優先順位の低いリンク識別子の個数に該当する出力の差で決定されることを特徴とする、請求項１に記載の方法。
【請求項５】
前記第１Ｔｘブロックの第１トーンと前記第１Ｒｘブロックの第２トーンは、１つのペアで連結されて優先順位を持つことを特徴とする、請求項１に記載の方法。
【請求項６】
前記第１Ｔｘブロック、前記第１Ｒｘブロック、そして、前記第２Ｒｘブロックは、１つのトラフィックスロットに含まれ、
多数のトラフィックスロットは、１つの優先順位の占有区間を構成し、
１つの優先順位の占有区間の間にリンクの優先順位は、変更されないことを特徴とする、請求項１に記載の方法。
【請求項７】
無線通信システムの送信ノードにおける分散スケジューリング方法であって、
多数のリンク識別子とマッピングされるトーンを含むＴｘブロックで、多数のトーンを通じて多数の送信ノードの電力信号を受信する過程と、
多数のリンク識別子とマッピングされるトーンを含む第１Ｒｘブロックで、該当送信ノードのデータ伝送が可能であることを指示する第１トーンを通じて電力信号を前記該当送信ノードに伝送する過程と、
多数のリンク識別子とマッピングされるトーンを含む第２Ｒｘブロックで、受信ノードが許容可能なリンク識別子に関する情報を含む第２トーンを通じて電力信号を前記該当送信ノードに伝送する過程と、を含み、
前記第１トーンを通じた電力信号は、前記受信ノードで受信信号対雑音比(ｓｉｇｎａｌ-ｔｏ-ｉｎｔｅｒｆｅｒｅｎｃｅ ｒａｔｉｏ:ＳＩＮＲ)を満たすことを指示し、
前記第２トーンを通じた電力信号は、前記受信ノードで許容可能な優先順位の低いリンク識別子の個数を指示することを特徴とする方法。
【請求項８】
前記受信ノードで許容可能な優先順位の低いリンク識別子の個数を決定する過程をさらに含むことを特徴とする、請求項７に記載の方法。
【請求項９】
前記受信ノードで許容可能な優先順位の低いリンク識別子の個数が１より大きい場合、前記第２トーンを通じた電力信号のレベルが前記第１トーンを通じた電力信号のレベルより大きくなることを特徴とする、請求項７に記載の方法。
【請求項１０】
前記第１Ｒｘブロックで最大出力で電力信号が伝送される場合、前記第２Ｒｘブロックにおける電力レベルは最大出力-(前記受信ノードで許容可能な優先順位の低いリンク識別子の個数)に決定されることを特徴とする、請求項７に記載の方法。
【請求項１１】
前記第１Ｔｘブロックの１つのトーンと前記第１Ｒｘブロックの１つのトーンは、１つのペアで連結されて優先順位を持つことを特徴とする、請求項７に記載の方法。
【請求項１２】
前記第１Ｔｘブロック、前記第１Ｒｘブロック、そして、前記第２Ｒｘブロックは、１つのトラフィックスロットに含まれ、
多数のトラフィックスロットは、１つの優先順位の占有区間を構成し、
１つの優先順位の占有区間の間にリンクの優先順位は、変更されないことを特徴とする、請求項７に記載の方法。
【請求項１３】
電子装置であって、
少なくとも１つ以上のプロセッサと、
メモリと、
前記メモリに保存されている少なくとも１つ以上のプログラムと、を含み、
前記少なくとも１つ以上のプログラムは、前記請求項１ないし請求項６の方法を実行するように処理することを特徴とする装置。
【請求項１４】
電子装置であって、
少なくとも１つ以上のプロセッサと、
メモリと、
前記メモリに保存されている少なくとも１つ以上のプログラムと、を含み、
前記少なくとも１つ以上のプログラムは、前記請求項７ないし請求項１２の方法を実行するように処理することを特徴とする装置。
【発明の詳細な説明】
【技術分野】
【０００１】
本発明は、一般的に無線通信に関し、特に、Ｄ２Ｄ(Ｄｅｖｉｃｅ-ｔｏ-Ｄｅｖｉｃｅ)通信システムにおけるリンク性能を向上させるための分散スケジューリング方法及び装置に関する。
【背景技術】
【０００２】
Ｄ２Ｄ(Ｄｅｖｉｃｅ-ｔｏ-Ｄｅｖｉｃｅ)通信は、次世代のセルラー網で支援される重要な特徴として期待される。Ｄ２Ｄ通信は、セルラーシステム基盤のストラクチャーが不要で、バッテリー消費の減少、伝送率の増加、インフラストラクチャーの失敗に強いこと(ｒｏｂｕｓｔｎｅｓｓ)、また、新たなサービスを可能にする様々な長所がある。また、データサービス及びスマートフォン(例:ｉＰｈｏｎｅ)の拡散により、アドホック無線ネットワークに対する関心が再び集まっている。このようなネットワークは、不足なスペクトルリソースを用いて拡張性(ｓｃａｌａｂｉｌｉｔｙ)と大きな性能の向上を保障する。ネットワークモデリング及びアルゴリズムコミュニティでの動機づけは、理論的な利得を保障するクロスレイヤ(ｃｒｏｓｓ-ｌａｙｅｒ)同期リソース割り当てメカニズムで新たな研究を招く。しかし、メッセージング(ｃｈａｎｎｅｌ-ｓｔａｔｅ ａｗａｒｅ ｓｐａｔｉａｌ ｃｏｏｒｄｉｎａｔｉｏｎのためのメッセージング)と同期化オーバヘッドが同期式クロスレイヤスキームを難しくすると思われているために、無線又はアドホックネットワークの具現と配置(ｄｅｐｌｏｙｍｅｎｔｓ)は、大部分が非同期式ＣＳＭＡ/ＣＡ(Ｃａｒｒｉｅｒ Ｓｅｎｓｅ Ｍｕｌｔｉｐｌｅ  Ａｃｃｅｓｓ/Ｃｏｌｌｉｓｉｏｎ Ａｖｏｉｄａｎｃｅ)メカニズムと変更に焦点が当てられている。
【０００３】
無線ネットワークにおける分散スケジューリングは、数年間にわたりこの分野で多くの研究者によって関心を集めてきている。最大整合(ｍａｘｉｍａｌ ｍａｔｃｈｉｎｇ)を向上させるために様々な方法とともに、中央集中的スケジューリングアルゴリズムに比べて、最大整合分散スケジューリングアルゴリズムによって誘発される潜在的処理率の損失に関する研究が関心を集めてきている。このスキームの大部分は、物理階層での結合干渉モデル(ｃｏｍｂｉｎａｔｏｒｉａｌ ｉｎｔｅｒｆｅｒｅｎｃｅ ｍｏｄｅｌ)に基づいて、また、実現可能な独立集合で与えられたリンクをスケジューリングする方法、例えば、結合干渉モデルに基づいてリンクが同時に伝送が許容されることに焦点が当てられている。しかし、実現可能な３つを定義するイシューは、フェーディングチャネル(チャネル係数がタイムスロット毎に変更されうるチャネル)を経由した実際のＳＩＲをもとに設定され、この時、多数の電力レベルと伝送率を含むことは普通は解決されない。
【０００４】
一方、多くのデバイスが領域に共存していて、一部のデバイスが他の一部のデバイスと直接通信したいと願う通信のシナリオが存在する。Ｄ２Ｄ通信システムは、端末の通信を調整する中央集中制御器(例:基地局)がないので、発生する通信リンクを最大に支援するための分散スケジューリングスキームを設計する方法が必要である。
【０００５】
従って、許容可能なリンク間の干渉を持ち、同時に発生するリンクの最大個数を支援するための分散スケジューリング技法が必要である。
【発明の概要】
【発明が解決しようとする課題】
【０００６】
本発明の目的は、Ｄ２Ｄ通信システムにおける通信方法及び装置を提供することにある。
【０００７】
本発明の他の目的は、Ｄ２Ｄ通信システムにおける分散スケジューリング方法及び装置を提供することにある。
【０００８】
本発明のさらに他の目的は、Ｄ２Ｄ通信システムにおけるリンクの個数を最大に設定するための方法及び装置を提供することにある。
【課題を解決するための手段】
【０００９】
前記目的を達成するための本発明の第１見地によれば、無線通信システムの送信ノードにおける分散スケジューリング方法において、多数のリンク識別子とマッピングされるトーンを含むＴｘブロックで、第１トーンを通じて電力信号を伝送する過程と、多数のリンク識別子とマッピングされるトーンを含む第１Ｒｘブロックでデータ伝送が可能であることを指示する第２トーンを通じて電力信号を受信ノードから受信する過程と、多数のリンク識別子とマッピングされるトーンを含む第２Ｒｘブロックで前記受信ノードが許容可能なリンク識別子に関する情報を含む第３トーンを通じて電力信号を前記受信ノードから受信する過程と、を含み、前記第２トーンを通じた電力信号は、前記受信ノードで受信信号対雑音比(ｓｉｇｎａｌ-ｔｏ-ｉｎｔｅｒｆｅｒｅｎｃｅ ｒａｔｉｏ:ＳＩＮＲ)を満たすことを指示し、前記第３トーンを通じた電力信号は、前記受信ノードで許容可能な優先順位の低いリンク識別子の個数を指示することを特徴とする。
【００１０】
前記目的を達成するための本発明の第２見地によれば、無線通信システムの受信ノードにおける分散スケジューリング方法において、多数のリンク識別子とマッピングされるトーンを含むＴｘブロックで、多数のトーンを通じて多数の送信ノードの電力信号を受信する過程と、多数のリンク識別子とマッピングされるトーンを含む第１Ｒｘブロックで該当送信ノードのデータ伝送が可能であることを指示する第１トーンを通じて電力信号を該当送信ノードに伝送する過程と、多数のリンク識別子とマッピングされるトーンを含む第２Ｒｘブロックで第２トーンを通じて電力信号を前記該当送信ノードに伝送する過程を含み、前記第１トーンを通じた電力信号は、前記受信ノードで受信信号対雑音比(ｓｉｇｎａｌ-ｔｏ-ｉｎｔｅｒｆｅｒｅｎｃｅ ｒａｔｉｏ:ＳＩＮＲ)を満たすことを指示し、前記第２トーンを通じた電力信号は、前記受信ノードで許容可能な優先順位の低いリンク識別子の個数を指示することを特徴とする。
【００１１】
前記目的を達成するための本発明の第３見地によれば、無線通信システムの送信ノードにおける分散スケジューリング装置において、多数のリンク識別子とマッピングされるトーンを含むＴｘブロックで、第１トーンを通じて電力信号を伝送し、多数のリンク識別子とマッピングされるトーンを含む第１Ｒｘブロックでデータ伝送が可能であることを指示する第２トーンを通じて電力信号を受信ノードから受信し、多数のリンク識別子とマッピングされるトーンを含む第２Ｒｘブロックで前記受信ノードが許容可能なリンク識別子に関する情報を含む第３トーンを通じて電力信号を前記受信ノードから受信するスケジューラを含み、前記第２トーンを通じた電力信号は、前記受信ノードで受信信号対雑音比(ｓｉｇｎａｌ-ｔｏ-ｉｎｔｅｒｆｅｒｅｎｃｅ ｒａｔｉｏ:ＳＩＮＲ)を満たすことを指示し、前記第３トーンを通じた電力信号は、前記受信ノードで許容可能な優先順位の低いリンク識別子の個数を指示することを特徴とする。
【００１２】
前記スケジューラは、前記第３トーンを通じた前記受信ノードの電力レベルに基づいて、前記受信ノードで許容可能な優先順位の低いリンク識別子の個数を決定することを特徴とする。
【００１３】
前記受信ノードで許容可能な優先順位の低いリンク識別子の個数が１より大きい場合、前記第３トーンを通じた電力信号のレベルが前記第２トーンを通じた電力信号のレベルより大きくなることを特徴とする。
【００１４】
前記第１Ｒｘブロックで最大出力で電力信号が伝送される場合、前記第２Ｒｘブロックにおける電力レベルは、最大出力-前記受信ノードで許容可能な優先順位の低いリンク識別子の個数に該当する出力の差で決定されることを特徴とする。
【００１５】
前記第１Ｔｘブロックの第１トーンと前記第１Ｒｘブロックの第２トーンは、１つのペアで連結されて優先順位を持つことを特徴とする。
【００１６】
前記第１Ｔｘブロック、前記第１Ｒｘブロック、そして、前記第２Ｒｘブロックは、１つのトラフィックスロットに含まれ、多数のトラフィックスロットは、１つの優先順位の占有区間を構成し、１つの優先順位の占有区間の間にリンクの優先順位は、変更されないことを特徴とする。
【００１７】
前記目的を達成するための本発明の第４見地によれば、無線通信システムの受信ノードにおける分散スケジューリング装置において、多数のリンク識別子とマッピングされるトーンを含むＴｘブロックで、多数のトーンを通じて多数の送信ノードの電力信号を受信し、多数のリンク識別子とマッピングされるトーンを含む第１Ｒｘブロックで該当送信ノードのデータ伝送が可能であることを指示する第１トーンを通じて電力信号を該当送信ノードに伝送し、多数のリンク識別子とマッピングされるトーンを含む第２Ｒｘブロックで前記受信ノードが許容可能なリンク識別子に関する情報を含む第２トーンを通じて電力信号を前記該当送信ノードに伝送するスケジューラを含み、前記第１トーンを通じた電力信号は、前記受信ノードで受信信号対雑音比(ｓｉｇｎａｌ-ｔｏ-ｉｎｔｅｒｆｅｒｅｎｃｅ ｒａｔｉｏ:ＳＩＮＲ)を満たすことを指示し、前記第２トーンを通じた電力信号は、前記受信ノードで許容可能な優先順位の低いリンク識別子の個数を指示することを特徴とする。
【００１８】
前記スケジューラは、前記受信ノードで許容可能な優先順位の低いリンク識別子の個数を決定することを特徴とする。
【００１９】
前記受信ノードで許容可能な優先順位の低いリンク識別子の個数が１より大きい場合、前記第２トーンを通じた電力信号のレベルが前記第１トーンを通じた電力信号のレベルより大きくなることを特徴とする。
【００２０】
前記第１Ｒｘブロックで最大出力で電力信号が伝送される場合、前記第２Ｒｘブロックにおける電力レベルは、最大出力-(前記受信ノードで許容可能な優先順位の低いリンク識別子の個数)で決定されることを特徴とする。
【００２１】
前記第１Ｔｘブロックの１つのトーンと前記第１Ｒｘブロックの１つのトーンは、１つのペアで連結されて優先順位を持つことを特徴とする。
【００２２】
前記第１Ｔｘブロック、前記第１Ｒｘブロック、そして、前記第２Ｒｘブロックは、１つのトラフィックスロットに含まれて、多数のトラフィックスロットは、１つの優先順位の占有区間を構成し、１つの優先順位の占有区間の間にリンクの優先順位は、変更されないことを特徴とする。
【発明の効果】
【００２３】
前述のように、受信ノードが自己より低い優先順位のリンク連結に対して許容可能であるか否かを指示する第２Ｒｘブロックを定義することにより、分散スケジューリングで最大リンクを連結できる長所がある。また、臨界値に基づいたＴｘ-ｙｉｅｌｄｉｎｇで高い優先順位のリンクにＳＩＮＲ制限を保障する。また、不要なリンク数の増加を防止しうる。
【図面の簡単な説明】
【００２４】
【図１Ａ】本発明の実施形態によるＤ２Ｄ通信を行うためのフレームの構造を示す図面である。
【図１Ｂ】本発明の実施形態によるＤ２Ｄ通信を行うためのフレームの構造を示す図面である。
【図２】本発明の実施形態による詳細なトラフィックスロットを示す図面である。
【図３】本発明の実施形態による連結スケジューリングを行うためのＴｘブロック、第１Ｒｘブロック、第２Ｒｘブロックに対する構造を示す図面である。
【図４】本発明の実施形態によるＤ２Ｄ通信手順を示す図面である。
【図５】本発明の実施形態による送信ノードの動作の流れ図である。
【図６】本発明の実施形態による受信ノードの動作の流れ図である。
【発明を実施するための形態】
【００２５】
以下、本発明の望ましい実施形態を添付された図面の参照とともに詳しく説明する。また、本発明を説明するにおいて、関連した公知機能又は構成に対する具体的な説明が本発明の要旨を不要に混乱させうると判断された場合、その詳細な説明は省略する。また、後述する用語は、本発明での機能を考慮して定義された用語であって、これは使用者、運用者の意図又は慣例などによって異なりうる。従って、その定義は、本明細書の全般にわたる内容に基づいて下されなければならないだろう。
【００２６】
以下、本発明は、Ｄ２Ｄ(Ｄｅｖｉｃｅ-ｔｏ-Ｄｅｖｉｃｅ)通信システムにおける分散スケジューリング方法及び装置について説明する。
【００２７】
図１Ａ及び図１Ｂは、本発明の実施形態によるＤ２Ｄ通信のためのフレーム構造を示している。
【００２８】
前記図１Ａを参照すると、フレーム構造１００は、制御チャネル１０２と多数のトラフィックスロット１０４とに区分され、前記制御チャネルは、ディスカバリースロット１０６と、ページングスロット１０８とに区分される。
【００２９】
前記ディスカバリースロットは、各デバイスが隣接したデバイスを探すピアデバイスディスカバリー(Ｐｅｅｒ ｄｅｖｉｃｅ ｄｉｓｃｏｖｅｒｙ)手順を行なうことに用いられる。即ち、ピアデバイスディスカバリーは、ノードがそれらの存在を知らせる情報を伝送し、隣接している他のノードの存在を検出できるようにする。
【００３０】
前記ページングスロットは、潜在的送信ノードが、以後、通信に対して受信ノードにシグナリングを伝送するページング手順を行なうことに用いられる。
【００３１】
前記図１Ｂを参照すると、ページング手順後、多数のトラフィックスロットを含む規則的な通信サイクルが開始する。それぞれのトラフィックスロットで、潜在的送受信ノードはスケジューリングされ、以後、データ伝送が伴う。ここで、前記多数のトラフィックスロットは少なくとも１つ以上の優先順位の占有区間(ｐｒｉｏｒｉｔｙ ｈｏｌｄ ｐｅｒｉｏｄ:ＰＨＰ)１１０を持つ。
【００３２】
一方、前記トラフィックスロットは、Ｔｘブロック１１２と、第１Ｒｘブロック１１４と、第２Ｒｘブロック１１６と、パイロットリソース１１８と、チャネルフィードバックリソース１２０と、トラフィックリソース１２２と、トラフィックＡｃｋリソース１２４とに区分される。
【００３３】
図２は、本発明の実施形態による詳細なトラフィックスロットを示している。
【００３４】
前記図２を参照すると、トラフィックスロット内のＴｘブロック２０２、第１Ｒｘブロック２０４、第２Ｒｘブロック２０６は、連結スケジューリング(ｃｏｎｎｅｃｔｉｏｎ ｓｃｈｅｄｕｌｉｎｇ)を行い、トラフィックスロット２００内のパイロットリソース２０８、チャネルフィードバックリソース２１０は、レートスケジューリング(ｒａｔｅ ｓｃｈｅｄｕｌｉｎｇ)を行い、トラフィックスロット内のトラフィックリソースは、該当リンクを通じたトラフィック伝送を行い、トラフィックスロット内のトラフィックＡｃｋリソース２１２は、パケットの成功的受信に対するシグナリングを行なう。
【００３５】
一方、ページング手順後、潜在的な通信リンクでそれぞれのリンク識別子(ＩＤ)に関連した１つの優先順位(ｐｒｉｏｒｉｔｙ)が存在する。前記優先順位は、半固定(ｓｅｍｉ-ｓｔａｔｉｃａｌｌｙ)で構成される。例えば、多数のトラフィックスロットは、１つの優先順位の占有区間(ｐｒｉｏｒｉｔｙ ｈｏｌｄ ｐｅｒｉｏｄ:ＰＨＰ)でグルーピングされる。例えば、毎１０個のトラフィックスロットは、１つのＰＨＰを持つ。それぞれのＰＨＰで、それぞれのリンク識別子に対する１つの優先順位が生成され、ＰＨＰの全体の周期の間に変更されない。次のＰＨＰで、新たな優先順位が以前のＰＨＰに独立的に生成される。
【００３６】
本発明の通信システムは、直交周波数分割多重(ＯＦＤＭ)変調方式を使用し、リンクスケジューリングの後に、スケジューリングされた通信ペア(ｐａｉｒ)は、全ての利用可能な周波数帯域を使用して通信する。多重アクセスモードは、実際の空間ドメイン多重化(Ｓｐａｔｉａｌ Ｄｏｍａｉｎ Ｍｕｌｔｉｐｌｅｘｉｎｇ)である。このような理由により、効率的分散スケジューリングアルゴリズムがシステム処理率を最大化するように設計されることが極めて重要である。
【００３７】
提案された分散スケジューリングスキームは、各優先順位の占有区間(ｐｒｉｏｒｉｔｙ ｈｏｌｄ ｐｅｒｉｏｄ:ＰＨＰ)の各トラフィックスロットに適用される。
【００３８】
それぞれのトラフィックスロットで、ページング手順後の直後に位置する３つのスケジューリングブロック(ｓｃｈｅｄｕｌｉｎｇ ｂｌｏｃｋ)が設計される。それぞれのブロックは、特定の時間/周波数リソースを用いて、各ブロックに対するＭシンボルとＮ副搬送波を示す。それぞれのリンク識別子(ＩＤ)は、それぞれのブロックで１つのトーン(ｔｏｎｅ)リソース(シンボル/副搬送波)とマッピングされる。前記リンク識別子は、連結識別子(Ｃｏｎｎｅｃｔｉｏｎ ＩＤ)と称することもある。
【００３９】
例えば、図２でリンク３とリンク７がスケジューリングされていて、Ｔｘブロックと第１Ｒｘブロックは、それぞれ１つのトーンが１つのペアで連結されて優先順位を持つ。優先順位は、左側の上方に行くほど優先順位が高く、右側の下方へ行くほど優先順位が低い。前記リンクは、ランダム優先順位リストに従って固定的に整列されうる。しかし、本発明で優先順位を決定する基準は制限されるものではなく、多様な方法で決定可能である。
【００４０】
図３は、本発明の実施形態による連結スケジューリングを行うためのＴｘブロック、第１Ｒｘブロック、第２Ｒｘブロックに対する構造を示している。
【００４１】
前記図３を参照すると、Ｔｘ-ブロックは、リンクスケジューリングを要請するために使用される。それぞれのＰＨＰ内の一番目のタイムスロットで、他の時間/周波数リソースとマッピングされるそれぞれのリンク識別子には１つの優先順位が割り当てられる。優先順位は、１つのＰＨＰの間に占有される。送信ノードは、それらの副搬送波を通じて必要な電力レベルで送信することにより、各受信ノードはそれぞれの送信ノードからの干渉を推定することができる。前記送信信号が他のリソースを通じて伝送されるので、各受信ノードは、予想される送信信号の信号電力と他の送信ノードからの干渉電力を含むすべてのリソースを通じた信号を検出することができる。
【００４２】
Ｒｘ-ブロックは、潜在的送信ノードがＴｘ-ブロックを通じてリンクスケジューリングを要請するとき、これに対する応答として使用される。
【００４３】
Ｔｘ-ブロックの次の２つのＲｘ-ブロックが存在する。Ｔｘ-ブロックの次のそれぞれの受信ノードは、低い優先順位を持つある送信ノードが特定のＳＩＮＲレベルを保障するため、送信が許されていないか否かが分かる。ここで、低い優先順位を持つ送信ノードが高い優先順位を持つ送信ノードに干渉の発生が多すぎると、前記低い優先順位を持つ送信ノードは、伝送が許されない。もし、１つの受信ノードで受信ＳＩＮＲがある臨界値より低いと、前記受信ノードは、前記送信ノードの伝送を受信しないように決定し、前記送信ノードに前記決定を知らせる(例えば、Ｒｘ-ブロックの該当リンクと対応するトーンを通じて電力信号を送信しないことにより送信ノードに伝送可否を知らせる）。ピアデバイスディスカバリーとページング手順の間に、その後に、それぞれの通信リンクの送信電力は、近づいてくるデータ通信のために前記送信電力として決定される。従って、もし、前記受信ＳＩＮＲが非常に低いと、前記受信ノードは、前記送信ノードがそれらの電力を増加させてもその結果による受信ＳＩＮＲが満たされないということが分かる。
【００４４】
第１Ｒｘ-ブロック:それぞれの受信ノードは、すべての送信ノードからの干渉が分かっているので、ＳＩＮＲを計算することができる。それぞれの受信ノードでＳＩＮＲ臨界値に基づいて、受信ノードは、低い優先順位を持つ許容可能なリンク識別子の個数又は番号を決定する。動作は、優先順位に基づいて、優先順位_２リンクが優先順位_１リンクに干渉の発生が多すぎる。各受信ノードは、自己の許容可能な低い優先順位のリンク識別子の個数を指示する電力信号を伝送し、従って、各送信ノードは正確に受信ノードがある送信ノードを許容するかが分かる。
【００４５】
Ｒｘ-ブロック１で、優先順位Ｌを持つ受信ノードが自己のＳＩＮＲが十分であるとすれば、優先順位Ｌより高い優先順位１からＬ-１までのリンクがスケジューリングされると仮定する。即ち、下記数1のように定義される。
【００４６】
【数１】
2015501566.tif 000003
【００４７】
ここで、ＳＩＮＲＬは優先順位Ｌを持つ受信ノードにおけるＳＩＮＲ値であり、Ｎは雑音であり、Ｐｉはｉ番目の送信ノードから受信された電力を示す。
【００４８】
以後、優先順位Ｌを持つ受信ノードは、優先順位Ｌより低い優先順位のリンク識別子が許容可能であるか否かを決定する。受信ノードの自己より低い優先順位のリンクの識別子の個数ＮＬ(Ｌ=１、...、Ｎ、Ｎは支援可能なリンク識別子の最大個数)は、下記数２のように決定される。
【００４９】
【数２】
2015501566.tif 000004
【００５０】
前記受信ノードは、Ｔｘ-ブロックと同一の電力又は最大電力で直接電力信号(ｄｉｒｅｃｔ ｐｏｗｅｒ ｓｉｇｎａｌ)を伝送する。この時、受信ＳＩＮＲが臨界値より低い受信ノードは、伝送しない。
【００５１】
Ｒｘ-ブロック２:Ｒｘ-ブロック２に受信ノードは送信ノードにそれらの許容可能な低い優先順位のリンク識別子の番号又は個数(
【数３】
2015501566.tif 000005
)を指すために、直接電力信号(ｄｉｒｅｃｔ ｐｏｗｅｒ ｓｉｇｎａｌ)を伝送する。この時、前記許容可能な低い優先順位のリンク識別子の番号又は個数が非常に高い場合、マッピング規則を使用して伝送する。例えば、フィードバックされる実際の番号又は個数
【数４】
2015501566.tif 000006
のように類推できる。ここで、xは全てのデバイスに知られる常数の値である。
【００５２】
Ｒｘ-ブロック２で、優先順位Ｌを持つ受信ノードのための電力レベルは、下記数５で類推される。
【００５３】
【数５】
2015501566.tif 000007
【００５４】
即ち、許容可能な低い優先順位のリンク識別子の番号又は個数が１より大きいと、送信ノードはより高い電力を受信する。
【００５５】
もし、最大出力が第１Ｒｘ-ブロックに伝送される場合、
【数６】
2015501566.tif 000008
である。この時、前記受信ノードは、下記数７のようにＲｘ-ブロック２で送信電力を減らす。
【００５６】
【数７】
2015501566.tif 000009
【００５７】
それぞれのＰＨＰのｋ番目のスケジューリングスロットで、(ｋ−１)番目のスケジューリングスロットで伝送が許容される送信ノードは伝送する。より高い優先順位を持つ受信ノードにより許容されない送信ノードは、(ｋ−１)番目のスケジューリングスロットで伝送しない。受信ノードが(ｋ−１)番目のスケジューリングスロットでデータの伝送に対して譲歩するように(Ｒｘ ｙｉｅｌｄｉｎｇ)決定された送信ノードは、伝送する。この設計の長所は、各ＰＨＰの一番目のトラフィックスロットで、より高い優先順位のリンク識別子から予想される干渉信号電力からもたらされる十分に低いＳＩＮＲのために、ある受信ノードが受信しないように決定する場合である。しかし、各トラフィックスロットでスケジューリング後に、より高い優先順位のある送信ノードは、関連トラフィックスロットで伝送しない。これは低い優先順位の受信ノードが依然として許容可能なＳＩＮＲのそれらの信号を受信できることを意味する。提案されたスキームで、ＰＨＰを設計する。それぞれのＰＨＰ内で、トラフィックスロット後にトラフィックスロット、より多くの通信リンクが可能となる。次のＰＨＰの間に、新たな優先順位が生成され、また各リンク識別子の上の他の優先順位を除いて、スケジューリングは、前記のように同様である。
【００５８】
他の具現によって、第１Ｒｘブロックと第２Ｒｘブロックが一対一に対応して許容可能な低い優先順位のリンク識別子の個数の代わりに、リンク識別子に該当するトーンを伝送して該当リンク識別子を伝送することもある。
【００５９】
図４は、本発明の実施形態によるＤ２Ｄ通信手順を示している。
【００６０】
前記図４を参照すると、デバイスは段階４００で連結スケジューリング(Ｃｏｎｎｅｃｔｉｏｎ ｓｃｈｅｄｕｌｉｎｇ)を行なう。例えば、潜在的送信ノードは、それぞれ割り当てられたＴｘブロック内の１つのトーンを通じてスケジューリングを要請する。前記要請は、直接電力信号(ｄｉｒｅｃｔ ｐｏｗｅｒ ｓｉｇｎａｌ)である。そして、潜在的受信ノードは、ＴＸブロックを聴取し、該当リンクを通じてデータ伝送を許容するか否かを決定する。
【００６１】
もし、受信ノードが該当リンクを通じたデータ通信を許容しないとき(以下、Ｒｘ-ｙｉｅｌｄｉｎｇとする)、応答しない。即ち、第１Ｒｘ-ブロック内に割り当てられたトーンを通じて電力信号を伝送しない。
【００６２】
その反面、受信ノードがＲｘ-ｙｉｅｌｄを選択しなければ、第１Ｒｘ-ブロック内に割り当てられたトーンを通じて電力信号を伝送し、許容可能な低い優先順位のリンク識別子の番号又は個数に基づいて第２Ｒｘ-ブロックの電力を決定して割り当てられたトーンを通じて電力信号を伝送する。
【００６３】
デバイスは、段階４０２で連結スケジューリングスロット内で伝送されるようにスケジューリングされた送信ノードに対してレートスケジューリング(Ｒａｔｅ ｓｃｈｅｄｕｌｉｎｇ)を行なう。例えば、デバイスは、段階４０２でパイロットチャネルとフィードバックチャネルを用いて該当リンクに対する符号化率(ｃｏｄｅ ｒａｔｅ)及び変調スキームを決定する。
【００６４】
デバイスは、段階４０４でスケジューリングされたリンクを通じて伝送するデータに対してデータセグメントを行なう。
【００６５】
デバイスは、段階４０６でリンク識別子に基づいてパケットに対する成功的受信をシグナリングするため、Ａｃｋスロットを使用する。
【００６６】
以後、本発明の手順を終了する。
【００６７】
図５は、本発明の実施形態による送信ノードの動作の流れ図を示している。
【００６８】
前記図５を参照すると、潜在的送信ノードは、それぞれ段階５００でＴｘブロックの該当トーンを用いて電力信号を伝送してスケジューリングされるように要請する。
【００６９】
以後、潜在的送信ノードは、それぞれ段階５０２で、該当Ｔｘブロックのトーンとマッピングされる第１Ｒｘブロックのトーンを通じて電力信号が受信されるかを確認する。
【００７０】
一方、図示していないが、段階５０２で、送信ノードは、第１Ｒｘブロックのすべてのトーンを通じて電力信号を聴取してＴｘ-ｙｉｅｌｄｉｎｇをするかを決定する。即ち、送信ノードは、高い優先順位の受信ノードで受信ＳＩＮＲを満足させるため、伝送するか否かを決定する。
【００７１】
該当Ｔｘブロックのトーンとマッピングされる第１Ｒｘブロックのトーンを通じて電力信号が受信される時、送信ノードは、段階５０４でリンクを通じたデータ伝送を許容することを認知する。
【００７２】
その反面、該当Ｔｘブロックのトーンとマッピングされる第１Ｒｘブロックのトーンを通じて電力信号が受信されない時、送信ノードは、段階５０６で受信ノードで受信ＳＩＮＲを満たさないＲｘ-ｙｉｅｌｄｉｎｇであることを認知する。
【００７３】
以後、送信ノードは、段階５０８で第２Ｒｘ-ブロックを通じて許容可能な優先順位の低いリンク識別子の個数を指す電力信号を受信する。
【００７４】
前記第２Ｒｘ-ブロックにおいて、優先順位Ｌを持つ受信ノードのための電力レベルは、前記数３で類推される。即ち、許容可能な低い優先順位のリンク識別子の番号又は個数が１より大きければ、前記送信ノードは、前記第２Ｒｘ-ブロックを通じてより高い電力を受信する。もし、最大出力が第１Ｒｘ-ブロックに伝送される場合、前記受信ノードは、前記数４のようにＲｘ-ブロック２で送信電力を減らす。
【００７５】
以後、送信ノードは、段階５１０で第２Ｒｘ-ブロックの電力レベルに基づいて許容可能な低い優先順位のリンク識別子の個数を確認する。
【００７６】
図６は、本発明の実施形態による受信ノードの動作の流れ図を示している。
【００７７】
前記図６を参照すると、受信ノードは、段階６００ですべての送信ノードからＴｘブロックを通じて電力信号を受信する。
【００７８】
以後、受信ノードは、段階６０２で、該当リンクを通じてデータ伝送を許容するかを決定する(以下、Ｒｘ-ｙｉｅｌｄｉｎｇとする)。即ち、受信ノードは、前記数１のように、自己より優先順位の高いリンク識別子に基づいて受信ＳＩＮＲを満たしているかを決定する。
【００７９】
以後、受信ノードは、段階６０４で、Ｒｘ-ｙｉｅｌｄｉｎｇを行なう必要があるかを判断し、Ｒｘ-ｙｉｅｌｄｉｎｇを行なう必要があるとき(即ち、受信ＳＩＮＲを満たさない時)、該当モードに進行する。例えば、該当モードではＴｘブロックに対する応答をしない。即ち、第１Ｒｘブロックを通じて電力信号を送信ノードに伝送しない。
【００８０】
前記Ｒｘ-ｙｉｅｌｄｉｎｇを行なう必要のないとき(即ち、受信ＳＩＮＲを満たすとき)、段階６０６へ進み、前記数２に基づいて許容可能な低い優先順位のリンク識別子の個数及び番号を決定する。
【００８１】
以後、受信ノードは、段階６０８でＴｘブロックに対する応答として第１Ｒｘブロックを通じて電力信号を伝送する(ｉｎｖｅｒｓｅ ｅｃｈｏ ｐｏｗｅｒ ｌｅｖｅｌ)。即ち、受信ノードは、受信ＳＩＮＲを満たすことを送信ノードに知らせる。
【００８２】
以後、受信ノードは、段階６１０で許容可能な低い優先順位のリンク識別子の個数又は番号を指示するための電力信号を第２Ｒｘブロックを通じて伝送する。すなわち、受信ノードは、第２Ｒｘブロックを通じて許容可能な低い優先順位のリンク識別子の個数又は番号を送信ノードに知らせる。
【００８３】
前記第２Ｒｘ-ブロックで、優先順位Ｌを持つ受信ノードのための電力レベルは、前記数３で類推される。即ち、許容可能な低い優先順位のリンク識別子の番号又は個数が１より大きければ、前記送信ノードは、前記第２Ｒｘ-ブロックを通じてより高い電力を受信する。もし、最大出力が第１Ｒｘ-ブロックに伝送される場合、前記受信ノードは、前記数４のようにＲｘ-ブロック２で送信電力を減らす。
【００８４】
以後、本発明の手順を終了する。
【００８５】
一方、本発明の詳細な説明では具体的な実施形態に対して説明したが、本発明の範囲から外れない限度内で様々な変形が可能であることは言うまでもない。従って、本発明の範囲は、説明された実施形態に限られて定められてはならず、後述する特許請求の範囲だけでなく、この特許請求の範囲と均等なものによって定められなければならない。
【符号の説明】
【００８６】
１１２  Ｔｘブロック
１１４  第１Ｒｘブロック
１１６  第２Ｒｘブロック
１１８  パイロットリソース
１２０  チャネルフィードバックリソース
１２２  トラフィックリソース
１２４  トラフィックＡｃｋリソース
【図１ａ】
2015501566.tif 000010
【図１ｂ】
2015501566.tif 000011
【図２】
2015501566.tif 000012
【図３】
2015501566.tif 000013
【図４】
2015501566.tif 000014
【図５】
2015501566.tif 000015
【図６】
2015501566.tif 000016
【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
無線通信システムの送信ノードにおける分散スケジューリング方法であって、
多数のリンク識別子とマッピングされるトーンを含むＴｘブロックで、第１トーンを通じて電力信号を伝送する過程と、
多数のリンク識別子とマッピングされるトーンを含む第１Ｒｘブロックで、データ伝送が可能であることを指示する第２トーンを通じて電力信号を受信ノードから受信する過程と、
多数のリンク識別子とマッピングされるトーンを含む第２Ｒｘブロックで、前記受信ノードが許容可能なリンク識別子に関する情報を含む第３トーンを通じて電力信号を前記受信ノードから受信する過程と、を含み、
前記第２トーンを通じた電力信号は、前記受信ノードで受信信号対雑音比（ｓｉｇｎａｌ−ｔｏ−ｉｎｔｅｒｆｅｒｅｎｃｅ  ｒａｔｉｏ：ＳＩＮＲ）を満たすことを指示し、
前記第３トーンを通じた電力信号は、前記受信ノードで許容可能な優先順位の低いリンク識別子の個数を指示することを特徴とする方法。
【請求項２】
前記第３トーンを通じた前記受信ノードの電力レベルに基づいて、前記受信ノードで許容可能な優先順位の低いリンク識別子の個数を決定する過程をさらに含むことを特徴とする、請求項１に記載の方法。
【請求項３】
前記受信ノードで許容可能な優先順位の低いリンク識別子の個数が１より大きい場合、前記第３トーンを通じた電力信号のレベルが前記第２トーンを通じた電力信号のレベルより大きくなることを特徴とする、請求項１に記載の方法。
【請求項４】
前記第１Ｒｘブロックで最大出力で電力信号が伝送される場合、前記第２Ｒｘブロックにおける電力レベルは、最大出力−前記受信ノードで許容可能な優先順位の低いリンク識別子の個数に該当する出力の差で決定されることを特徴とする、請求項１に記載の方法。
【請求項５】
前記第１Ｔｘブロックの第１トーンと前記第１Ｒｘブロックの第２トーンは、１つのペアで連結されて優先順位を持つことを特徴とする、請求項１に記載の方法。
【請求項６】
前記第１Ｔｘブロック、前記第１Ｒｘブロック、そして、前記第２Ｒｘブロックは、１つのトラフィックスロットに含まれ、
多数のトラフィックスロットは、１つの優先順位の占有区間を構成し、
１つの優先順位の占有区間の間にリンクの優先順位は、変更されないことを特徴とする、請求項１に記載の方法。
【請求項７】
無線通信システムの送信ノードにおける分散スケジューリング方法であって、
多数のリンク識別子とマッピングされるトーンを含むＴｘブロックで、多数のトーンを通じて多数の送信ノードの電力信号を受信する過程と、
多数のリンク識別子とマッピングされるトーンを含む第１Ｒｘブロックで、該当送信ノードのデータ伝送が可能であることを指示する第１トーンを通じて電力信号を前記該当送信ノードに伝送する過程と、
多数のリンク識別子とマッピングされるトーンを含む第２Ｒｘブロックで、受信ノードが許容可能なリンク識別子に関する情報を含む第２トーンを通じて電力信号を前記該当送信ノードに伝送する過程と、を含み、
前記第１トーンを通じた電力信号は、前記受信ノードで受信信号対雑音比（ｓｉｇｎａｌ−ｔｏ−ｉｎｔｅｒｆｅｒｅｎｃｅ  ｒａｔｉｏ：ＳＩＮＲ）を満たすことを指示し、
前記第２トーンを通じた電力信号は、前記受信ノードで許容可能な優先順位の低いリンク識別子の個数を指示することを特徴とする方法。
【請求項８】
前記受信ノードで許容可能な優先順位の低いリンク識別子の個数を決定する過程をさらに含むことを特徴とする、請求項７に記載の方法。
【請求項９】
前記受信ノードで許容可能な優先順位の低いリンク識別子の個数が１より大きい場合、前記第２トーンを通じた電力信号のレベルが前記第１トーンを通じた電力信号のレベルより大きくなることを特徴とする、請求項７に記載の方法。
【請求項１０】
前記第１Ｒｘブロックで最大出力で電力信号が伝送される場合、前記第２Ｒｘブロックにおける電力レベルは最大出力−（前記受信ノードで許容可能な優先順位の低いリンク識別子の個数）に決定されることを特徴とする、請求項７に記載の方法。
【請求項１１】
前記第１Ｔｘブロックの１つのトーンと前記第１Ｒｘブロックの１つのトーンは、１つのペアで連結されて優先順位を持つことを特徴とする、請求項７に記載の方法。
【請求項１２】
前記第１Ｔｘブロック、前記第１Ｒｘブロック、そして、前記第２Ｒｘブロックは、１つのトラフィックスロットに含まれ、
多数のトラフィックスロットは、１つの優先順位の占有区間を構成し、
１つの優先順位の占有区間の間にリンクの優先順位は、変更されないことを特徴とする、請求項７に記載の方法。
【請求項１３】
電子装置であって、
少なくとも１つ以上のプロセッサと、
メモリと、
前記メモリに保存されている少なくとも１つ以上のプログラムと、を含み、
前記少なくとも１つ以上のプログラムは、
多数のリンク識別子とマッピングされるトーンを含むＴｘブロックで、第１トーンを通じて電力信号を伝送し、
多数のリンク識別子とマッピングされるトーンを含む第１Ｒｘブロックで、データ伝送が可能であることを指示する第２トーンを通じて電力信号を受信ノードから受信し、
多数のリンク識別子とマッピングされるトーンを含む第２Ｒｘブロックで、前記受信ノードが許容可能なリンク識別子に関する情報を含む第３トーンを通じて電力信号を前記受信ノードから受信し、
前記第２トーンを通じた電力信号は、前記受信ノードで受信信号対雑音比（ｓｉｇｎａｌ−ｔｏ−ｉｎｔｅｒｆｅｒｅｎｃｅ  ｒａｔｉｏ：ＳＩＮＲ）を満たすことを指示し、
前記第３トーンを通じた電力信号は、前記受信ノードで許容可能な優先順位の低いリンク識別子の個数を指示することを特徴とする装置。
【請求項１４】
前記第３トーンを通じた前記受信ノードの電力レベルに基づいて、前記受信ノードで許容可能な優先順位の低いリンク識別子の個数を決定することを特徴とする、請求項１３に記載の装置。
【請求項１５】
前記受信ノードで許容可能な優先順位の低いリンク識別子の個数が１より大きい場合、前記第３トーンを通じた電力信号のレベルが前記第２トーンを通じた電力信号のレベルより大きくなることを特徴とする、請求項１３に記載の装置。
【請求項１６】
前記第１Ｒｘブロックで最大出力で電力信号が伝送される場合、前記第２Ｒｘブロックにおける電力レベルは、最大出力−前記受信ノードで許容可能な優先順位の低いリンク識別子の個数に該当する出力の差で決定されることを特徴とする、請求項１３に記載の装置。
【請求項１７】
前記第１Ｔｘブロックの第１トーンと前記第１Ｒｘブロックの第２トーンは、１つのペアで連結されて優先順位を持つことを特徴とする、請求項１３に記載の装置。
【請求項１８】
前記第１Ｔｘブロック、前記第１Ｒｘブロック、そして、前記第２Ｒｘブロックは、１つのトラフィックスロットに含まれ、
多数のトラフィックスロットは、１つの優先順位の占有区間を構成し、
１つの優先順位の占有区間の間にリンクの優先順位は、変更されないことを特徴とする、請求項１３に記載の装置。
【請求項１９】
電子装置であって、
少なくとも１つ以上のプロセッサと、
メモリと、
前記メモリに保存されている少なくとも１つ以上のプログラムと、を含み、
前記少なくとも１つ以上のプログラムは、
多数のリンク識別子とマッピングされるトーンを含むＴｘブロックで、多数のトーンを通じて多数の送信ノードの電力信号を受信し、
多数のリンク識別子とマッピングされるトーンを含む第１Ｒｘブロックで、該当送信ノードのデータ伝送が可能であることを指示する第１トーンを通じて電力信号を前記該当送信ノードに伝送し、
多数のリンク識別子とマッピングされるトーンを含む第２Ｒｘブロックで、受信ノードが許容可能なリンク識別子に関する情報を含む第２トーンを通じて電力信号を前記該当送信ノードに伝送し、
前記第１トーンを通じた電力信号は、前記受信ノードで受信信号対雑音比（ｓｉｇｎａｌ−ｔｏ−ｉｎｔｅｒｆｅｒｅｎｃｅ  ｒａｔｉｏ：ＳＩＮＲ）を満たすことを指示し、
前記第２トーンを通じた電力信号は、前記受信ノードで許容可能な優先順位の低いリンク識別子の個数を指示することを特徴とする装置。
【請求項２０】
前記受信ノードで許容可能な優先順位の低いリンク識別子の個数を決定することを特徴とする、請求項１７に記載の装置。
【請求項２１】
前記受信ノードで許容可能な優先順位の低いリンク識別子の個数が１より大きい場合、前記第２トーンを通じた電力信号のレベルが前記第１トーンを通じた電力信号のレベルより大きくなることを特徴とする、請求項１７に記載の装置。
【請求項２２】
前記第１Ｒｘブロックで最大出力で電力信号が伝送される場合、前記第２Ｒｘブロックにおける電力レベルは最大出力−（前記受信ノードで許容可能な優先順位の低いリンク識別子の個数）に決定されることを特徴とする、請求項１７に記載の装置。
【請求項２３】
前記第１Ｔｘブロックの１つのトーンと前記第１Ｒｘブロックの１つのトーンは、１つのペアで連結されて優先順位を持つことを特徴とする、請求項１７に記載の装置。
【請求項２４】
前記第１Ｔｘブロック、前記第１Ｒｘブロック、そして、前記第２Ｒｘブロックは、１つのトラフィックスロットに含まれ、
多数のトラフィックスロットは、１つの優先順位の占有区間を構成し、
１つの優先順位の占有区間の間にリンクの優先順位は、変更されないことを特徴とする、請求項１７に記載の装置。
【国際調査報告】
2015501566.tif 000017
2015501566.tif 000018